(57)【要約】【課題】  取付け対象機器のハウジングに形成された孔に埋設されたソレノイドに取り付けられるコネクタであって、ソレノイドの防水性、耐食性確保のための処理のコストを従来に比べて低減できるコネクタを提供する。【解決手段】  取付け対象機器のハウジングに形成された孔に埋設されたソレノイドに取り付けられるコネクタであって、ソレノイドの電気端子部材に係合可能な電気端子部材と、前記係合可能な電気端子部材を収容すると共にソレノイドに着脱可能に取り付けられ、且つ前記孔の開口端部を塞ぐケースとを備える。【選択図】  図１
2006049216.tif 000002
【特許請求の範囲】
【請求項１】
取付け対象機器のハウジングに形成された孔に埋設されたソレノイドに取り付けられるコネクタであって、ソレノイドの電気端子部材に係合可能な電気端子部材と、前記係合可能な電気端子部材を収容すると共にソレノイドに着脱可能に取り付けられ、且つ前記孔の開口端部を塞ぐケースとを備えることを特徴とするコネクタ。
【請求項２】
ケースと前記孔の開口端部との間の隙間をシールするシール部材を備えることを特徴とする請求項１に記載のコネクタ。
【請求項３】
ケースは樹脂成形されていることを特徴とする請求項１又は２に記載のコネクタ。
【請求項４】
ケースとソレノイドとの係合部に回転止めが形成されていることを特徴とする請求項１乃至３の何れか１項に記載のコネクタ。
【請求項５】
ケースとソレノイドとの係合部に抜け止めが形成されていることを特徴とする請求項１乃至４の何れか１項に記載のコネクタ。
【請求項６】
ケースと取付け対象機器のハウジングとの係合部に取付け対象機器のハウジングに対するケースの回転止めが形成されていることを特徴とする請求項１乃至５の何れか１項に記載のコネクタ。
【請求項７】
取付け対象機器のハウジングの孔に係止され、ケースに係合して前記孔からのケースの離脱を防止する抜け止め部材を備えることを特徴とする請求項１乃至５の何れか１項に記載のコネクタ。
【請求項８】
電気端子部材間にダイオードが配設されていることを特徴とする請求項１乃至７の何れか１項に記載のコネクタ。
【発明の詳細な説明】
【技術分野】
【０００１】
本発明は、取付け対象機器のハウジングに形成された孔に埋設されたソレノイドに取り付けられるコネクタに関するものである。
【背景技術】
【０００２】
取付け対象機器のハウジングに形成された孔に埋設されたソレノイドに取り付けられるコネクタが特許文献１に開示されている。
【特許文献１】特開平１１−１５９４４９
【発明の開示】
【発明が解決しようとする課題】
【０００３】
特許文献１のコネクタは、一端が前記孔の開口端から大気側に露出するソレノイドハウジングに取り付けられているので、ソレノイドの防水性、耐食性確保のために、ソレノイドハウジングの外側に耐食表面処理を施す必要があると考えられ、ソレノイド製造コストの増加を招く。
本発明は上記問題に鑑みてなされたものであり、取付け対象機器のハウジングに形成された孔に埋設されたソレノイドに取り付けられるコネクタであって、ソレノイドの防水性、耐食性確保のための処理のコストを従来に比べて低減できるコネクタを提供することを目的とする。
【課題を解決するための手段】
【０００４】
上記課題を解決するために、本発明においては、取付け対象機器のハウジングに形成された孔に埋設されたソレノイドに取り付けられるコネクタであって、ソレノイドの電気端子部材に係合可能な電気端子部材と、前記係合可能な電気端子部材を収容すると共にソレノイドに着脱可能に取り付けられ、且つ前記孔の開口端部を塞ぐケースとを備えることを特徴とするコネクタを提供する。
本発明に係るコネクタにおいては、コネクタのケースが、ソレノイドが埋設された孔の開口端部を塞ぐので、ソレノイドは直接には外部環境に暴露されず、水分に接触する機会も少ない。従って、防水性、耐食性確保のための処理のグレードを従来より低下させても、ソレノイドの防水性、耐食性は確保される。従って、本発明に係るコネクタは、ソレノイドの防水性、耐食性確保のための処理のコストを従来に比べて低減できる。
【０００５】
本発明の好ましい態様においては、コネクタは、ケースと前記孔の開口端部との間の隙間をシールするシール部材を備える。
コネクタのケースとソレノイドが埋設された孔の開口端部との間の隙間をシールするシール部材を配設することにより、ソレノイドは外部環境から完全に隔離され、水分との接触の機会を絶たれる。この結果、ソレノイドの防水性、耐食性確保のための処理のコストを更に低減できる。
【０００６】
本発明の好ましい態様においては、コネクタのケースは樹脂成形されている。
コネクタのケースを樹脂成形することにより、ケース形状の複雑化が容易になり、コネクタの電気絶縁性が向上し、コネクタが軽量化される。
【０００７】
本発明の好ましい態様においては、コネクタのケースとソレノイドとの係合部に回転止めが形成されている。
コネクタのソレノイドに対する相対回転が阻止されることにより、双方の電気端子部材に過大な力が作用し、電気端子部材が損傷する事態の発生が防止される。
【０００８】
本発明の好ましい態様においては、コネクタのケースとソレノイドとの係合部に抜け止めが形成されている。
コネクタのソレノイドからの離脱が防止される。
【０００９】
本発明の好ましい態様においては、コネクタのケースと取付け対象機器のハウジングとの係合部に取付け対象機器のハウジングに対するコネクタの回転止めが形成されている。
コネクタが外力を受けて回転し、電気端子部材が損傷する事態の発生が防止される。
【００１０】
本発明の好ましい態様においては、コネクタは、取付け対象機器のハウジングの孔に係止され、コネクタのケースに係合して前記孔からのコネクタの離脱を防止する抜け止め部材を備える。
取付け対象機器のハウジングからのコネクタの脱落が防止され、ひいては取付け対象機器のハウジングからのソレノイドの脱落が防止される。
【００１１】
本発明の好ましい態様においては、コネクタの電気端子部材間にダイオードが配設されている。
コネクタにダイオードを配設することにより、ソレノイドの構成が簡素化される。
【発明の効果】
【００１２】
本発明に係るコネクタにおいては、コネクタのケースが、ソレノイドが埋設された孔の開口端部を塞ぐので、ソレノイドは直接には外部環境に暴露されず、水分に接触する機会も少ない。従って、防水性、耐食性確保のための処理のグレードを従来より低下させても、ソレノイドの防水性、耐食性は確保される。従って、本発明に係るコネクタは、ソレノイドの防水性、耐食性確保のための処理のコストを従来に比べて低減できる。
【発明を実施するための最良の形態】
【００１３】
本発明の実施例に係るコネクタを備える可変容量圧縮機の容量制御用ソレノイドバルブを説明する。
【実施例１】
【００１４】
図１に示すように、可変容量圧縮機の容量制御用ソレノイドバルブＡは、弁部１と、弁駆動用のソレノイド２と、ソレノイド２に着脱可能に取り付けられるコネクタ３とを備えている。ソレノイド２は、一対の電気端子部材２ａを含むソレノイド本体２ｂと、ソレノイドハウジング２ｃとを有している。
コネクタ３は、ソレノイド２の一対の電気端子部材２ａに対して着脱可能な一対の電気端子部材３ａと、電気端子部材３ａに結合される一対のリード線３ｂと、絶縁ゴム３ｃと、電気端子部材３ａを収容する樹脂製のケース３ｄとにより構成されている。
電気端子部材３ａはケース３ｄと一体にインサート成形されている。リード線３ｂに装着してリード線３ｂ外周を密閉した絶縁ゴム３ｃを、ケース３ｄの端部に止着し、リード線３ｂと電気端子部材３ａとを結合し、前記結合部を取り囲むケース３ｄに樹脂を注入し蓋をして、コネクタ３を形成している。
【００１５】
図２に示すように、ソレノイドバルブＡは、弁部１とソレノイド２とが可変容量圧縮機のハウジング１００に形成された孔１０１に埋設され、コネクタ３のケース３ｄがソレノイド本体２ｂに着脱可能に取り付けられ、電気端子部材３ａが電気端子部材２ａに係合し、コネクタ３のケース３ｄが孔１０１の開口端部を塞ぎ、孔１０１の開口端部に形成された周溝に係合するスナップリング４がコネクタ３のケース３ｄの端面に係合した状態で、ハウジング１００に取り付けられる。
【００１６】
本実施例に係るコネクタ３においては、ソレノイド２が埋設された孔１０１の開口端部をケース３ｄが塞ぐので、ソレノイド２は直接には外部環境に暴露されず、水分に接触する機会も少ない。従って、防水性、耐食性確保のための処理のグレードを従来より低下させても、ソレノイド２の防水性、耐食性は確保される。従って、コネクタ３は、ソレノイド２の防水性、耐食性確保のための処理のコストを従来に比べて低減できる。
コネクタ３のケース３ｄを樹脂成形することにより、ケース３ｄの形状の複雑化が容易になり、コネクタ３の電気絶縁性が向上し、コネクタ３が軽量化される。
スナップリング４の配設により、コネクタ３のハウジング１００からの脱落が防止され、ソレノイド２ひいてはソレノイドバルブＡのハウジング１００からの脱落が防止される。
【実施例２】
【００１７】
図３に示すように、ケース３ｄの外周面に形成した周溝に収容したＯリング５により、孔１０１の開口端部とケース３ｄとの間の隙間をシールしても良い。ソレノイド２は外部環境から完全に隔離され、水分との接触の機会を絶たれるので、ソレノイド２の防水性、耐食性確保のための処理のコストを更に低減できる。
【００１８】
図４（ａ）に示すように、コネクタ３のケース３ｄとソレノイド本体２ｂとの係合部に、ソレノイド本体２ｂに形成した係合溝２ｄと、係合溝２ｄに係合するケース３ｄに形成した係合突起３ｅとから成る回転止め６を形成しても良い。
コネクタ３のソレノイド２に対する相対回転が阻止されることにより、双方の電気端子部材２ａ、３ａに過大に力が作用し、電気端子部材２ａ、３ａが損傷する事態の発生が防止される。
図４（ｂ）に示すように、コネクタ３のケース３ｄと孔１０１との係合部に、孔１０１の周壁に形成された係合溝１０１ａと、係合溝１０１ａに係合可能なケース３ｄの外周に形成された係合突起３ｆとから成る、回転止め７を形成しても良い。
コネクタ３が外力を受けて回転し、リード線３ｂが損傷する事態の発生が防止される
【００１９】
図５に示すように、コネクタ３のケース３ｄとソレノイド本体２ｂとの係合部に、ケース３ｄに形成した係合爪３ｇと、係合爪３ｇが係合するソレノイド本体２ｂに形成した係合段部２ｅとから成る抜け止め８を形成しても良い。
コネクタ３のソレノイド２からの離脱が防止される。
【００２０】
図６に示すように、コネクタ３の一対の電気端子部材３ａ間にサージ吸収用のダイオード９を配設しても良い。
ソレノイド２ではなくコネクタ３にダイオード９を配設することにより、ソレノイド２の構成が簡素化され、ソレノイドバルブＡの生産性が向上する。
【００２１】
図７に示すように、リード線３ｂに代えて、コネクタ結合用の端子部材３ｈをコネクタ３に配設しても良い。
【００２２】
ハウジング１００に取り付けられたコネクタ３を治具を用いて取り出すための、係合部をコネクタ３のケース３ｄに形成しても良い。
【産業上の利用可能性】
【００２３】
本発明に係るコネクタは、可変容量圧縮機の容量制御用ソレノイドバルブのみならず、機器のハウジングに取り付けられる種々のソレノイドに広く利用可能である。
【図面の簡単な説明】
【００２４】
【図１】本発明の実施例に係るコネクタを備えるソレノイドバルブの構造図である。（ａ）は弁部とソレノイドの縦断面図であり、（ｂ）はコネクタの縦断面図であり、（ｃ）は（ｂ）のｃ−ｃ矢視図であり、（ｄ）は弁部とソレノイドとコネクタとが一体に組付けられた状態での縦断面図である。（ｂ）、（ｄ）において、部材の一部を透視し、電気端子部材を剥き出しにして示している。
【図２】可変容量圧縮機のハウジングに取り付けられた状態での本発明の実施例に係るコネクタを備えるソレノイドバルブの縦断面図である。部材の一部を透視し、電気端子部材を剥き出しにして示している。
【図３】可変容量圧縮機のハウジングに取り付けられた状態での本発明の他の実施例に係るコネクタを備えるソレノイドバルブの縦断面図である。部材の一部を透視し、電気端子部材を剥き出しにして示している。
【図４】本発明の他の実施例に係るコネクタを備えるソレノイドバルブの部分構造図である。（ａ）はコネクタとソレノイドの係合部の横断面図であり、（ｂ）はコネクタと圧縮機ハウジングとの係合部の上面図である。
【図５】本発明の他の実施例に係るコネクタを備えるソレノイドバルブのコネクタとソレノイドの係合部の縦断面図である。部材の一部を透視し、電気端子部材を剥き出しにして示している。
【図６】本発明の他の実施例に係るコネクタの、図１（ｃ）に相当する矢視図である。
【図７】本発明の他の実施例に係るコネクタの縦断面図である。
【符号の説明】
【００２５】
Ａ  ソレノイドバルブ
１  弁部
２  ソレノイド
３  コネクタ
１００  可変容量圧縮機のハウジング
１０１  孔
【図１】
2006049216.tif 000003
【図２】
2006049216.tif 000004
【図３】
2006049216.tif 000005
【図４】
2006049216.tif 000006
【図５】
2006049216.tif 000007
【図６】
2006049216.tif 000008
【図７】
2006049216.tif 000009